(57)【要約】【課題】  １枚目の感光材料を処理して出力するまでの待ち時間を短縮することができるようにする。【解決手段】  複数の処理槽５１を備え、各処理槽５１に貯留された処理液の中に印画紙シートＲ２を順次通過させることにより、印画紙シートＲ２に各処理液による処理を順次施すように構成されたものであり、複数の処理槽５１のうちの少なくとも一つの処理槽５１から別の処理槽５１へ、印画紙シートＲ２を挟持して案内する一対の出口側スポンジローラ７３が設けられ、出口側スポンジローラ７３に水を供給する水供給手段８０，８０ａが設けられている。【選択図】      図６
2007041071.tif 000002
【特許請求の範囲】
【請求項１】
複数の処理槽を備え、各処理槽に貯留された処理液の中に感光材料を順次通過させることにより、前記感光材料に各処理液による処理を順次施す写真処理装置であって、
前記複数の処理槽のうちの少なくとも一つの処理槽から別の処理槽へ、感光材料を挟持して案内するローラ対が設けられ、
前記ローラ対は、一対の円筒状のスポンジローラによって形成されているとともに、前記一対のスポンジローラの少なくとも一方が吸収した処理液を水流によって洗い流すべく前記少なくとも一方のスポンジローラに水を供給する水供給手段が設けられていることを特徴とする写真処理装置。
【請求項２】
前記水供給手段は、前記少なくとも一方のスポンジローラに断続自在に水を供給するものである請求項１記載の写真処理装置。
【請求項３】
前記水供給手段は、周面に水を噴出する複数の噴出孔を有する、前記少なくとも一方のスポンジローラの軸心位置に設けられた中空ローラ軸と、この中空ローラ軸に水を供給する給水手段とを備えていることを特徴とする請求項１又は２記載の写真処理装置。
【請求項４】
前記水供給手段は、周面に水を噴出する複数の噴出孔を有し、前記少なくとも一方のスポンジローラの周面に対向して配置され、前記少なくとも一方のスポンジローラの周面に散水する散水管と、この散水管に水を供給する給水手段とを備えていることを特徴とする請求項１又は２記載の写真処理装置。
【請求項５】
前記給水手段が、所定の水槽からの水を汲み上げて供給する水吐出ポンプを備えていることを特徴とする請求項３又は４記載の写真処理装置。
【請求項６】
前記給水手段が、水道水を断続自在に供給する給水弁を備えていることを特徴とする請求項３又は４記載の写真処理装置。
【請求項７】
前記複数の処理槽は、現像処理が施された感光材料に所定の定着用の処理液で定着処理を施す定着処理槽と、この定着処理槽に隣設されて定着処理済みの感光材料に洗浄水による洗浄処理を施す洗浄処理槽とを少なくとも備え、前記ローラ対が、前記定着処理槽から前記洗浄処理槽へ前記感光材料を挟持して案内するローラ対を含んでいることを特徴とする請求項１乃至６のいずれかに記載の写真処理装置。
【請求項８】
前記少なくとも一方のスポンジローラが、前記一対のスポンジローラの双方であることを特徴とする請求項１乃至７のいずれかに記載の写真処理装置。
【請求項９】
前記水供給手段が断続自在に水を供給するものであって、当該水供給手段の水供給動作を制御する制御手段が設けられ、
前記制御手段は、前記少なくとも一方のスポンジローラが所定量を超えて処理液を吸収するタイミングを判別するタイミング判別部と、
前記タイミング判別部が前記タイミングの到来を判別すると、前記感光材料の処理槽への搬入を一時的に中断させるべく所定の搬送手段に向けて中断信号を出力する中断信号出力部と、
前記中断信号出力部が中断信号を出力した後に前記水供給手段に向けてスポンジローラに水を供給させるべく制御信号を出力する制御信号出力部とを備えていることを特徴とする請求項１乃至８のいずれかに記載の写真処理装置。
【発明の詳細な説明】
【技術分野】
【０００１】
本発明は、ハロゲン化銀を感光主体とした銀塩写真システムに適用される感光材料としての写真フィルム（以下フィルムとのみいう）に現像処理を施したり、あるいは現像処理済みのフィルムを用いて感光材料としての印画紙に現像処理（焼付け処理）を施したりする写真処理装置に関するものである。
【背景技術】
【０００２】
従来、特許文献１に記載されているような印画紙に現像処理を施す写真処理装置が知られている。この写真処理装置は、ロール状に巻回された長尺の印画紙ロールを引き出しながらその露光面に現像処理済みのフィルムの各コマ（一画面）を順次積層していき、フィルムを介して露光面に光を照射することによる露光処理を行った後、現像槽において当該印画紙を所定の現像液中に浸漬して当該印画紙に現像処理を施すようになされている。
【０００３】
そして、現像処理後の印画紙は、搬送ローラ等の搬送手段の駆動で定着槽に導入され、所定の定着液中に浸漬されることによって定着処理が施された後、洗浄槽における水洗処理で定着液が除去されるようになっている。洗浄処理後の印画紙は、乾燥室に導入され所定の熱源からの熱（温風の吹き付けを含む）による乾燥処理が施されたのち外部に排出される。
【０００４】
かかる写真処理装置において現像槽、定着槽および洗浄槽は、縦長に構成されて槽深さが深く設定されているとともに、槽内には印画紙搬送方向と直交する印画紙幅方向に延びるように２列で並設された複数本の搬送ローラと、各列における互いに対向した一対の搬送ローラ間に介設された駆動ローラとが設けられている。
【０００５】
また、各列の搬送ローラの最上位のもののさらに上方位置には、搬送ローラと平行に配設された各一対の案内ローラが設けられ、印画紙は、駆動回転している一方の案内ローラに挟持された状態で槽内に向けて搬送され、一方の列の搬送ローラと駆動ローラとに挟持されつつ搬送ローラの駆動で一旦下降したのち他方の列の搬送ローラと駆動ローラとに挟持されつつ上昇するようになっている。上昇した印画紙は、駆動回転している他方の案内ローラに挟持されつつ次工程へ向けて搬送されるようになっている。
【０００６】
このように、特許文献１に開示される従来技術では、縦長に形成される現像・定着・洗浄の各処理槽を、印画紙が蛇行しながら順に搬送されてゆくことで、処理が施されてゆく。各槽では、各処理に必要とされる時間にわたって、印画紙を処理液に浸漬している必要があり、特に洗浄工程には長い時間を要する。
【０００７】
そこで、特許文献１では明示されていないが、通常、印画紙を排出する側のローラ対はスポンジ体によって形成されている。そして、印画紙がローラ対間を通過する間に付着している処理液がローラ対によって吸収除去され、これによって一つの処理槽から次の処理槽への、印画紙に同伴した処理液の持ち込みが抑制されるようになされている。
【特許文献１】特許第３４７８３８２号公報
【発明の開示】
【発明が解決しようとする課題】
【０００８】
しかしながら、印画紙に対する現像処理が度重なると、スポンジ体からなるローラ対は、吸収した処理液で満たされ、以後、印画紙から処理液を吸収する能力が十分に発揮できなくなるという不都合が生じていた。ローラ対は感光材料を挟持する必要から、スポンジ体が幾分変形するほどに互いに押圧されるので、それによって処理液を搾り取る効果がある程度は得られる。しかし、スポンジ体が本来有する吸収能力を十分に発揮するものとはなっていなかった。その結果、上記従来装置は、印画紙に同伴した処理液の持ち込みを抑制する効果が十分ではなく、処理に要する処理時間が長くなり、１枚目のプリントを出力するまでの待ち時間が長くなるという問題点を有していた。このことは、店内に写真処理装置を設置し、店頭に顧客を待たせて写真処理サービスを提供する店舗にとっては、顧客吸引力をも左右する重要な問題点である。
【０００９】
本発明は、かかる従来の問題点を解消するためになされたものであり、１枚目の感光材料を処理して出力するまでの待ち時間を短縮することができる写真処理装置を提供することを目的としている。
【課題を解決するための手段】
【００１０】
請求項１記載の発明は、複数の処理槽を備え、各処理槽に貯留された処理液の中に感光材料を順次通過させることにより、前記感光材料に各処理液による処理を順次施す写真処理装置であって、前記複数の処理槽のうちの少なくとも一つの処理槽から別の処理槽へ、感光材料を挟持して案内するローラ対が設けられ、前記ローラ対は、一対の円筒状のスポンジローラによって形成されているとともに、前記一対のスポンジローラの少なくとも一方が吸収した処理液を水流によって洗い流すべく前記少なくとも一方のスポンジローラに水を供給する水供給手段が設けられていることを特徴とするものである。
【００１１】
請求項１記載の発明において、感光材料とは、ハロゲン化銀を感光主体とした銀塩写真システムに適用されるフィルムおよび現像処理済みのフィルムを用いて現像処理（焼付け処理）が施される印画紙の双方を含む概念の用語として使用している。
【００１２】
請求項１記載の発明によれば、複数の処理槽に貯留された処理液の中に感光材料が順次浸漬することにより、感光材料に各処理液による処理が順次施される。そして、少なくとも一つの処理槽から次の処理槽へ、感光材料を挟持して案内するローラ対が設けられ、当該ローラ対が、一対の円筒状のスポンジローラによって形成されている。このため、感光材料は、一対のスポンジローラによって挟持されながら当該スポンジローラの駆動で搬送されるに際し、表裏面に付着している処理液がスポンジローラに吸収除去され、これによって表裏面が清浄化処理された状態で次工程、すなわち次の処理槽による処理へ向けて搬送されることになる。
【００１３】
これに加えて、スポンジが水を吸収し易いことを利用して、少なくとも一方のスポンジローラに水を供給する水供給手段が設けられているため、上記少なくとも一方のスポンジローラへ水を供給することにより、当該スポンジローラは、吸収していた処理液が供給された水によって洗い流され（すなわち、スポンジローラ中の処理液が水に置換され）、処理液の少ない清浄な状態となる。上記少なくとも一方のスポンジローラが、一方のみのスポンジローラである場合であっても、当該一方のスポンジローラは他方のスポンジローラの処理液をも吸収することができる。その結果、一対のスポンジローラの双方が、処理液の少ない清浄な状態となる。それにより、感光材料に付着している処理液がスポンジローラに十分に吸収される（具体的には、処理液がスポンジローラ中の水の中に拡散していく）。すなわち、一対のスポンジローラの双方について、感光材料から処理液を吸収する能力が高く維持される。
【００１４】
特に、スポンジローラが水で十分に濡れた状態、あるいは溢れるほどに水を含んだ状態で、感光材料に対する処理を行うことも可能であり、この場合には、感光材料は、清浄な水を含んだスポンジローラによって表面が洗い流されるため、感光材料に付着している処理液が効果的に除去される。
【００１５】
請求項２記載の発明は、請求項１記載の発明において、前記水供給手段が、前記少なくとも一方のスポンジローラに断続自在に水を供給するものである。
【００１６】
かかる構成によれば、水供給手段が、少なくとも一方のスポンジローラに断続自在に水を供給するものであるので、上記少なくとも一方のスポンジローラへの水供給を所定のタイミング毎（具体的には、スポンジローラが吸収した処理液で飽和する以前のタイミング毎）に繰り返すことにより、スポンジローラを元の清浄な状態に戻すことができる。
【００１７】
請求項３記載の発明は、請求項１又は２記載の発明において、前記水供給手段は、周面に水を噴出する複数の噴出孔を有する、前記少なくとも一方のスポンジローラの軸心位置に設けられた中空ローラ軸と、この中空ローラ軸に水を供給する給水手段とを備えていることを特徴とするものである。
【００１８】
かかる構成によれば、給水手段が供給する水が中空ローラ軸の複数の噴出孔を介して、上記少なくとも一方のスポンジローラに供給され、これによって処理液で汚れた水が新鮮な水と置換されるため、スポンジローラは処理液が少ない清浄な状態となる。
【００１９】
このように、中空ローラ軸からの水の供給によって上記少なくとも一方のスポンジローラに万遍なく水が供給されるため、当該スポンジローラにおける処理液から水への均一な水置換が効率よく行われる。
【００２０】
請求項４記載の発明は、請求項１又は２記載の発明において、前記水供給手段は、周面に水を噴出する複数の噴出孔を有し、前記少なくとも一方のスポンジローラの周面に対向して配置され、前記少なくとも一方のスポンジローラの周面に散水する散水管と、この散水管に水を供給する給水手段とを備えていることを特徴とするものである。
【００２１】
かかる構成によれば、給水手段が供給する水が散水管から上記少なくとも一方のスポンジローラに供給され、これによって処理液で汚れた水が新鮮な水と置換されるため、スポンジローラは処理液が少ない清浄な状態となる。
【００２２】
請求項５記載の発明は、請求項３又は４記載の発明において、前記給水手段が、所定の水槽からの水を汲み上げて供給する水吐出ポンプを備えていることを特徴とするものである。
【００２３】
かかる構成によれば、水吐出ポンプの駆動により所定の水槽から汲み上げられた水が中空ローラ軸或いは散水管の複数の噴出孔を介して上記少なくとも一方のスポンジローラに供給される。なお、上記水槽は、本発明の写真処理装置にその構成要素として含まれていても良いが、写真処理装置以外の外部の器具であってもよい。
【００２４】
請求項６記載の発明は、請求項３又は４記載の発明において、前記給水手段が、水道水を断続自在に供給する給水弁を備えていることを特徴とするものである。
【００２５】
かかる構成によれば、給水弁を通じて断続自在に供給される水道水が中空ローラ軸或いは散水管の複数の噴出孔を介して上記少なくとも一方のスポンジローラに供給される。
【００２６】
請求項７記載の発明は、請求項１乃至６のいずれかに記載の発明において、前記処理槽は、現像処理が施された感光材料に所定の定着用の処理液で定着処理を施す定着処理槽と、この定着処理槽に隣設されて定着処理済みの感光材料に洗浄水による洗浄処理を施す洗浄処理槽とを少なくとも備え、前記ローラ対が、前記定着処理槽から前記洗浄処理槽へ前記感光材料を挟持して案内するローラ対を含んでいることを特徴とするものである。
【００２７】
かかる構成によれば、定着処理槽で所定の処理液により定着処理が施された後の感光材料は、スポンジローラを介して次工程の洗浄処理槽へ搬送されるが、この搬送途中でスポンジローラと当接することにより、付着している処理液がスポンジローラに吸収されている水中へ拡散して取り除かれるとともに、水によって希釈された状態で洗浄処理槽へ向かう。それにより、定着処理槽で用いられる定着液の洗浄処理槽への持ち込みが抑制される。
【００２８】
請求項８記載の発明は、請求項１乃至７のいずれかに記載の発明において、前記少なくとも一方のスポンジローラが、前記一対のスポンジローラの双方であることを特徴とするものである。
【００２９】
かかる構成によれば、一対のスポンジローラの双方について、吸収された処理液が処理液除去手段により除去されるので、一対のスポンジローラの処理液を吸収する能力を更に高めることができる。
【００３０】
請求項９記載の発明は、請求項１乃至８のいずれかに記載の発明において、前記水供給手段が断続自在に水を供給するものであって、当該水供給手段の水供給動作を制御する制御手段が設けられ、前記制御手段は、前記少なくとも一方のスポンジローラが所定量を超えて処理液を吸収するタイミングを判別するタイミング判別部と、前記タイミング判別部が前記タイミングの到来を判別すると、前記感光材料の処理槽への搬入を一時的に中断させるべく所定の搬送手段に向けて中断信号を出力する中断信号出力部と、前記中断信号出力部が中断信号を出力した後に前記水供給手段に向けてスポンジローラに水を供給させるべく制御信号を出力する制御信号出力部とを備えていることを特徴とするものである。
【００３１】
かかる構成によれば、タイミング判別部が、少なくとも一方のスポンジローラが所定量を超えて処理液を吸収するタイミングが到来したことを判別すると、中断信号出力部がこのタイミング判別部の判別結果に基づき所定の搬送手段に向けて中断信号を出力するため、搬送手段は感光材料の処理槽への搬入を一時的に中断させた状態になる。この状態で制御信号出力部が水供給手段に向けてスポンジローラに水を供給するべき制御信号を出力するため、この制御信号が入力された水供給手段の駆動で水がスポンジローラに供給され、これによってスポンジローラは、吸収していた処理液が新鮮な水と置換される。
【００３２】
そして、このような制御手段の制御によって、スポンジローラは、特にオペレータがメンテナンス作業を行わなくても、常に処理液を吸収し得る状態になるため、現像処理の全体的な処理効率が大幅に向上する。
【発明の効果】
【００３３】
請求項１記載の発明によれば、少なくとも一方のスポンジローラに水を供給する水供給手段が設けられているため、この水供給手段によるスポンジローラへの水供給により、スポンジローラは、吸収していた処理液が供給された水によって洗い流されて新鮮な水と置換された清浄な状態となる。これにより、少なくとも一方のスポンジローラを、十分に処理液を吸収し得る状態にすることができ、結果として一対のスポンジローラが処理液を吸収する能力を高く維持することができる。特に、スポンジローラが水で十分に濡れた状態、あるいは溢れるほどに水を含んだ状態で、感光材料に対する処理を行うことも可能であり、この場合には、感光材料は、清浄な水を含んだスポンジローラによって表面が洗い流されるため、感光材料に付着している処理液を効果的に除去することができる。従って、少なくとも一つの処理槽から次の処理槽への、感光材料に同伴した処理液の持ち出しが、より効果的に抑制され、その結果として次の処理槽での処理時間を短縮することができるので、１枚目の感光材料を処理して出力するまでの待ち時間を短縮することができる。
【００３４】
また、処理槽内の処理液は、自然蒸発により常に減少するため、定期的に水を補給することが行われるが、スポンジローラに水を供給するに際し、蒸発量に対応する水が余るように供給すれば、余った水が処理槽内に回収されるため、定期的な水の補給が不要になり、その分メンテナンス作業の軽減化に貢献することができる。
【００３５】
請求項２記載の発明によれば、上記少なくとも一方のスポンジローラへの水供給を所定のタイミング毎に繰り返すことにより、スポンジローラを元の清浄な状態に戻すことができる。また、水を断続的に供給できるので、感光材料の処理が行われない時期にスポンジローラの清浄化を行うことができる。更に、水の供給量を、処理液の蒸発分を補う程度に低く抑えることが容易である。
【００３６】
請求項３記載の発明によれば、中空ローラ軸からの水の供給によってスポンジローラに万遍なく水が供給されるため、スポンジローラにおける処理液から水への均一な水置換が効率よく行われる。これによって、スポンジローラによる処理液の吸収能力がさらに高められるので、少なくとも一つの処理槽から次の処理槽への、感光材料に同伴した処理液の持ち出しが、さらに効果的に抑制される。その結果として次の処理槽での処理時間をさらに短縮することができるので、１枚目の感光材料を処理して出力するまでの待ち時間をさらに短縮することができる。
【００３７】
また、スポンジローラへの水供給が、感光材料の搬送が停止している期間に行われる場合には、中空ローラ軸からの水の供給によってスポンジローラにおける処理液から水への均一な水置換が迅速に行われるので、感光材料の搬送を停止する期間を短縮することができる。それにより、１枚目の感光材料を処理して出力するまでの待ち時間をさらに短縮することができる。
【００３８】
請求項４記載の発明によれば、スポンジローラが吸収していた処理液を水と置換させることに対し、単純に散水管をスポンジローラに沿って配設することで対応することができるため、水供給手段の構造が簡単になり、これによって水供給手段のコスト低減化に貢献する。
【００３９】
請求項５記載の発明によれば、水吐出ポンプの駆動により所定の水槽から汲み上げられた水が中空ローラ軸或いは散水管の複数の噴出孔を介して少なくとも一方のスポンジローラに供給されるので、水道の配水管等の設備が写真処理装置の近くにない場合であっても、水槽に水を準備しておくことにより、スポンジローラを清浄化することができる。しかも、水吐出ポンプを断続させることにより、スポンジローラを断続自在に清浄化することができる。
【００４０】
請求項６記載の発明によれば、給水弁を通じて断続自在に供給される水道水が中空ローラ軸或いは散水管の複数の噴出孔を介して上記少なくとも一方のスポンジローラに供給されるので、水道の配水管等の設備を用いることにより、低コストで、スポンジローラを断続自在に清浄化することができる。
【００４１】
請求項７記載の発明によれば、定着処理槽で用いられる定着液の洗浄処理槽への持ち込みが抑制されるので、現像処理から洗浄処理まで一連の処理のうちで、最も長い処理時間を要する洗浄処理について、処理時間が短縮される。このため、１枚目の感光材料を処理して出力するまでの待ち時間が効果的に短縮される。しかも、定着装置に用いられる定着液がスポンジローラに吸収されたままで装置を停止した場合に定着液が結晶化し、処理の再開時に感光材料の表面を傷付けるといった不都合を回避することができる。すなわち、装置を停止する前にスポンジローラに十分に水を浸透させておくことで結晶化を防いだり、処理を再開する前にスポンジローラに水を供給することにより、結晶化した定着液を溶解あるいは水洗除去することにより、係る不都合を回避することができる。
【００４２】
請求項８記載の発明によれば、一対のスポンジローラの処理液を吸収する能力を更に高めることができる。
【００４３】
請求項９記載の発明によれば、制御手段の制御によって、スポンジローラは、特にオペレータがメンテナンス作業を行わなくても、常に処理液を吸収し得る状態になるため、現像処理の全体的な処理効率を大幅に向上させることができる。
【発明を実施するための最良の形態】
【００４４】
図１は、本発明に係る写真処理装置の一実施形態の全体構成の概要を説明するための説明図である。この実施形態においては、感光材料としての印画紙ロールＲから引き出された長尺印画紙Ｒ１に焼付け処理を施す写真処理装置１０を例として挙げている。図１に示すように、写真処理装置１０は、印画紙ロールＲから引き出された長尺印画紙Ｒ１に対してコマ毎に露光処理を施す露光処理部２０と、この露光処理部２０で露光処理の施された長尺印画紙Ｒ１に対して現像処理を施す現像処理部３０と、この現像処理部３０で現像処理の施された長尺印画紙Ｒ１に対して乾燥処理を施す乾燥処理部４０とを備えた基本構成を有している。
【００４５】
露光処理部２０は、画像データを記憶するディスク等の記録媒体を着脱可能に装填するとともに装填された記録媒体から所望の画像データを読み込むディスクドライブ２１と、フィルムや印画紙上に形成された画像を直接読み込むスキャナ２２と、読み込んだ画像データを画像としてモニタ表示するディスプレイ２３と、写真処理装置１０の状態をテストするためのテストプリント搬入ユニット２４と、読み込んだ画像に対して濃度や色等に対する所定の処理の指示およびプリントの指示等の各種指示を行うための図略の操作部と、プリント予定の画像データに所定の処理を行うとともに処理画像を出力する制御部２５とを備えた基本構成を有している。
【００４６】
かかる露光処理部２０には、ハウジング２０１の内部適所に巻回された長尺印画紙Ｒ１を収納するマガジン２６（第１マガジン２６１および第２マガジン２６２）が交換可能に搭載されている。第１および第２マガジン２６１，２６２の適所には、所定個数の遮光部材が配列されているとともに、第１および第２マガジン２６１，２６２が装着される露光処理部２０の筐体には、複数のフォトインタラプタからなるセンサ２６３，２６４が設けられ、いずれのセンサ２６３，２６４が前記遮光部材により遮光されたかを検知することでマガジンの種類すなわちサイズ等を含む印画紙の種別を認識可能にしている。印画紙は、樹脂などで形成される薄層の支持体とその一方面側に乳剤層、さらにコーティング層が形成されているものである。乳剤層は、露光された位置が後述の現像液によって赤、青、緑の各色に発色する染料や顔料が層状に形成されているもので、写真焼付用の印画紙として一般的なものが採用されている。
【００４７】
ハウジング２０１内には、第１および第２マガジン２６１，２６２に装着された印画紙ロールＲから選択的に繰り出された長尺印画紙Ｒ１を合流位置から下流側へ向けて移送する搬送路が形成されるとともに、この搬送路に沿って、モータ等からなる図略の駆動機構により回転駆動される搬送ローラ対２６５，２６６（後述するカッター２７より上流側にあるものを第１搬送ローラ対２６５、同下流側にあるものを第２搬送ローラ対２６６）が所定ピッチで配設されている。第１および第２マガジン２６１，２６２の各搬送路の合流位置から下流側に向かう搬送路上には、当該搬送路に対面する姿勢を有して帯状の長尺印画紙Ｒ１から所定サイズの印画紙シートＲ２を作成する印画紙切断装置としてのカッター２７と、露光処理部２０から入力された画像データを光学的に、例えばライン露光によって印画紙シートＲ２面に露光する露光装置２８を備えている。
【００４８】
前記カッター２７は、本実施形態においては、露光装置２８の上流位置に配置されている。このカッター２７は帯状の長尺印画紙Ｒ１を所定サイズの印画紙シートＲ２に切断するものであり、例えばスキャナ２２からの写真サイズ情報と、印画紙の移送量を検出するセンサ（例えば駆動機構（モータ）への駆動パルス数等）からの出力情報とによって、所定寸法分移送される毎に切断動作を行うように構成されている。
【００４９】
前記露光装置２８は、例えばＲＧＢ各色のレーザ発生器からのレーザビームを画像濃度情報によって各色毎に光変調するとともに、各変調ビームをポリゴンミラー等を介して印画紙シートＲ２面上で幅方向にライン走査させるもので、印画紙シートＲ２の移送によってシート面上に２次元のカラー画像を露光するものである。
【００５０】
前記現像処理部３０は、露光処理部２０から送り込まれた印画紙シートＲ２に対して現像処理を施すものであり、印画紙シートＲ２を連続的に所定の現像液に浸漬することにより露光の強弱に応じた画像を現出させる現像部３１と、この現像部３１で現像処理が完了した印画紙シートＲ２に対して所定の定着液に浸漬することにより定着処理を施す定着部３２と、この定着部３２で定着処理の完了した印画紙シートＲ２に対し洗浄水中に連続的に浸漬することにより洗浄処理を施す洗浄部３３とを備えて構成されている。
【００５１】
前記現像部３１、定着部３２および洗浄部３３には、同一構成の浸漬処理装置５０が適用されている。浸漬処理装置５０は、現像部３１および定着部３２において各１槽が、洗浄部３３において３槽が採用されている。なお、かかる浸漬処理装置５０については後に詳述する。
【００５２】
定着液には、銀画像などの銀をハロゲン化銀などの銀塩に変えるための漂白液が混合されている。また、洗浄水には、色画像を安定化させるための安定液が混合されている。
【００５３】
前記乾燥処理部４０は、洗浄部３３で洗浄処理が完了した印画紙シートＲ２に対し乾燥処理を施すものであり、洗浄部３３の上方位置に設けられている。かかる乾燥処理部４０は、上下方向に直列で設けられた複数の搬送ローラ対４１と、これらの搬送ローラ対４１と対向配置された乾燥用の熱を印画紙シートＲ２に供給する通電発熱体４２と、この通電発熱体４２により乾燥処理の施された印画紙シートＲ２を次工程に向けて払い出す払出しコンベヤ４３とを備えて構成されている。
【００５４】
前記通電発熱体４２は、上方に向かって搬送される印画紙シートＲ２の現像された面（すなわち表面側）と対向するように配設され、これによって印画紙シートＲ２の表面側に対し優先的に乾燥処理が施されるようになっている。
【００５５】
図２および図３は、浸漬処理装置５０の一実施形態を示す斜視図であり、図２は、オーバーヘッドラックの外された処理ラックが処理槽から引き出された状態、図３は、オーバーヘッドラックの装着された処理ラックが処理槽に装着された状態をそれぞれ示している。また、図４は、図３のＡ−Ａ線断面図である。なお、図２〜図４において、Ｘ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【００５６】
まず、図２に示すように、浸漬処理装置５０は、内部に処理液が装填される処理槽５１と、この処理槽５１内に着脱自在に装着される処理ラック６０と、この処理ラック６０の頂部に着脱自在に冠設されるオーバーヘッドラック７０と、このオーバーヘッドラック７０に内装された、後述する出口側スポンジローラ７３が吸収した処理液を新鮮な水と置換する水供給手段８０，８０ａ（図６〜図７参照、因みに水供給手段８０は第１実施形態のもの、水供給手段８０ａは第２実施形態のもの）とを備えて構成されている。なお、水供給手段８０，８０ａについては、図２〜図５に一括して図示することができないばかりか、図示すれば煩雑になって却って判り難くなるため、都合上図示を省略しているが、後に図６〜図８を基に詳細に説明する。
【００５７】
また、前記処理液は、浸漬処理装置５０が現像部３１用のものであるときは現像液であり、浸漬処理装置５０が定着部３２用のものであるときは定着液であり、浸漬処理装置５０が洗浄部３３用のものであるときは洗浄水である。
【００５８】
前記処理槽５１は、上面に着脱開口５１１を備えた有底で縦長の直方体状を呈する合成樹脂製の容器によって形成されている。かかる処理槽５１は、処理ラック６０が当該処理槽５１内に装着された状態で、両者間に予め設定された所定量の処理液を充填し得る空間が確保されるように寸法設定されている。
【００５９】
前記処理ラック６０は、前記処理槽５１内に挿入される挿入部６１と、この挿入部６１の上端から上方に向かって延設された露出部６２とを備えている。挿入部６１と露出部６２との間には、処理ラック６０の全周に亘って環状に形成されたシール機能を有するフランジ６０１が設けられている。そして、挿入部６１を着脱開口５１１を介して処理槽５１内に挿入することにより、フランジ６０１が処理槽５１の上縁部に全周に亘って当止し、これによって処理槽５１内が密閉状態になるようになされている。
【００６０】
前記挿入部６１は、左右方向一対の側板部材６３を有し、これら一対の側板部材６３間には、前記フランジ６０１が設けられた位置に架設された上下を分断する水平仕切壁６０２が架設されている。この水平仕切壁６０２より下位における一対の側板部材６３間には、前後方向の中央位置に多段で上下方向に向けて等ピッチで配設された複数の大径搬送ローラ６４が架設されているとともに、各大径搬送ローラ６４を挟持するように２列で小径搬送ローラ６５が架設されている。
【００６１】
前記大径搬送ローラ６４は、一対の側板部材６３間に架設された大径ローラ軸６４１回りに回転自在に軸支されているとともに、前記小径搬送ローラ６５は、一対の側板部材６３間に架設された小径ローラ軸６５０回りに回転自在に軸支されている。そして、露出部６２を介して挿入部６１へ導入された印画紙シートＲ２は、先端が最上位に位置した大径搬送ローラ６４と前方側の小径搬送ローラ６５との間に差し込まれ、これら大径搬送ローラ６４および小径搬送ローラ６５の各ローラ軸（大径ローラ軸６４１および小径ローラ軸６５０）回りの駆動回転によって下降し、順次下段の大径搬送ローラ６４および小径搬送ローラ６５間に差し通されていくようになっている。
【００６２】
因みに、図２〜図４に示す例では、大径搬送ローラ６４は軸心回りに反時計方向に向けて回転される一方、前方の列の小径搬送ローラ６５は軸心回りに時計方向に回転され、これによって大径搬送ローラ６４より前方位置で大径搬送ローラ６４および小径搬送ローラ６５間に挟持された印画紙シートＲ２は下降するようになっている。
【００６３】
そして、印画紙シートＲ２の先端が最下段の大径搬送ローラ６４に到達すると、当該先端は、最下段の大径搬送ローラ６４の回転と、最下段の前後の小径搬送ローラ６５間に張設された無端ベルト６５１（図４）の周回とに誘導されて上方へ向かって折り返され、以後は、各大径搬送ローラ６４および後方側の各小径搬送ローラ６５との間を通過しつつこれらの回転に誘導されて上昇し、露出部６２を介して外部へ導出されるようになっている。
【００６４】
因みに、各小径搬送ローラ６５は、図略の付勢手段の付勢力によって対向した大径搬送ローラ６４に向けて付勢されて各周面が互いに押圧当接した状態とされており、これによって大径搬送ローラ６４および小径搬送ローラ６５に挟持された印画紙シートＲ２は、両者の駆動回転によって確実に搬送され得るようになっている。
【００６５】
前記オーバーヘッドラック７０は、処理ラック６０の頂部に装着された状態で、前方から送り込まれた印画紙シートＲ２を処理槽５１内に案内するためのものであり、処理ラック６０の水平仕切壁６０２より上方位置における一対の側板部材６３間に嵌め込まれ得るように寸法設定されている。
【００６６】
かかるオーバーヘッドラック７０は、筐体７１と、この筐体７１の前方側に装着される一対の入口側スポンジローラ（入口側案内ローラ対）７２と、同後方側に装着される一対の出口側スポンジローラ（出口側案内ローラ対）７３とを備えて構成されている。そして、特に本発明においては、筐体７１の後方側に前記一対の出口側スポンジローラ７３が印画紙シートＲ２の表裏面から吸収した処理液を、新鮮な水と置換する水供給手段８０，８０ａ（図６、図７）が設けられている。前記出口側スポンジローラ７３は、親水性の材料によって形成されている。
【００６７】
前記筐体７１は、底板７１１（図４）と、この底板７１１の前縁部に固定された前面板７１２と、前記底板７１１の後縁部に固定された後方板７１３と、これら前面板７１２と後方板７１３との間に架設された左右方向一対の側板７１４とを備えて構成されている。前記底板７１１には、前後方向の中央部が上方に向かって膨出されることによって形成された断面視で逆Ｕ字状を呈する逆Ｕ字壁７１５（図４参照）が設けられている。この逆Ｕ字壁７１５の下面は開放端になっている。因みに、かかる逆Ｕ字壁７１５は、処理ラック６０を処理槽５１に対して着脱操作するときの把手としての機能を備えている。
【００６８】
一方、前記処理ラック６０の水平仕切壁６０２には、前後方向の中央位置に左右方向に延びる衝立壁６０３が設けられている。この衝立壁６０３は、前記オーバーヘッドラック７０の逆Ｕ字壁７１５に内嵌され得るように寸法設定されている。従って、逆Ｕ字壁７１５を衝立壁６０３に嵌め込むようにしてオーバーヘッドラック７０を処理ラック６０に装着することにより、当該オーバーヘッドラック７０は、位置決め状態でオーバーヘッドラック７０の頂部における一対の側板部材６３間に装着されるようになっている。
【００６９】
このようなオーバーヘッドラック７０において、前面板７１２には、印画紙シートＲ２をオーバーヘッドラック７０内に受入れるための左右方向に延びた受入開口７４が設けられているとともに、後方板７１３には処理済みの印画紙シートＲ２を外部に払い出すための払出開口７５（図４）が設けられている。前記受入開口７４は、前記一対の入口側スポンジローラ７２の当接位置と対向する位置に設けられているとともに、前記払出開口７５は、前記一対の出口側スポンジローラ７３の当接位置と対向する位置に設けられている。
【００７０】
また、処理ラック６０の水平仕切壁６０２には、前方側に入口側スポンジローラ７２の駆動でオーバーヘッドラック７０内に引き入れられた印画紙シートＲ２を処理槽５１内に導入するための左右方向に延びた導入開口６０４が設けられているとともに、後方側に処理済みの印画紙シートＲ２を出口側スポンジローラ７３へ向けて導出する導出開口６０５（図４）が設けられている。
【００７１】
そして、本実施形態においては、処理ラック６０に前記大径搬送ローラ６４、前記小径搬送ローラ６５、前記一対の入口側スポンジローラ７２および前記一対の出口側スポンジローラ７３を駆動回転させるための駆動力伝達機構６６が装着されている。以下、図５を基に必要に応じて図２〜図４を参照しながら駆動力伝達機構６６について説明する。図５は、駆動力伝達機構６６の一実施形態を示す浸漬処理装置５０の上部の正面視の断面図である。なお、図５におけるＸによる方向表示は、図２の場合と同様（−Ｘ：左方、＋Ｘ：右方）である。
【００７２】
図５に示すように、前記駆動力伝達機構６６は、外部から図略のギヤを介して所定の駆動源からの駆動力が伝達される軸心が左右方向に延びた駆動ギヤ６６１と、この駆動ギヤ６６１と同心で一体回転する第１ベベルギヤ６６２および第１伝達ギヤ６６３と、下部で前記第１伝達ギヤ６６３に噛合する第２伝達ギヤ６６４と、この第２伝達ギヤ６６４と同心で一体回転する第３伝達ギヤ６６５と、前記第１ベベルギヤ６６２に噛合して上下方向に延びた軸心回りに回転する第２ベベルギヤ６６６と、この第２ベベルギヤ６６６と同心で一体回転する第３ベベルギヤ６６７と、この第３ベベルギヤ６６７に噛合して左右方向に延びた軸心 回りに回転する第４ベベルギヤ６６８とを備えて構成されている。
【００７３】
前記駆動ギヤ６６１は、処理ラック６０の露出部６２における右方の側板部材６３の前後方向（図５の紙面に直行する方向）中央部外方に設けられ、衝立壁６０３を貫通して左右の側板部材６３間に架設された入力軸６７１回りに一体回転可能に軸支されている。
【００７４】
前記第１ベベルギヤ６６２は、右側の側板部材６３内のギヤ室６３１においてギヤ面を左方に向けて同心で入力軸６７１に外嵌固定され、入力軸６７１回りに一体回転可能になっている。
【００７５】
前記第１伝達ギヤ６６３は、右側の側板部材６３のギヤ室６３１内における第１ベベルギヤ６６２の左側で入力軸６７１に同心で外嵌固定され、入力軸６７１回りに一体回転可能になっている。
【００７６】
前記第２伝達ギヤ６６４は、ギヤ室６３１内における前記第１伝達ギヤ６６３の直下位置において第１伝達ギヤ６６３と噛合した状態でギヤ室６３１の左側の壁面を貫通した前記入力軸６７１と平行な中継軸６７２に同心で外嵌固定され、これによって中継軸６７２回りに一体回転可能とされている。
【００７７】
前記第３伝達ギヤ６６５は、前記各一対の入口側スポンジローラ７２および出口側スポンジローラ７３（図２）を従動回転させるものであり、ギヤ室６３１の左壁面の左側において中継軸６７２に同心で一体回転可能に外嵌され、第２伝達ギヤ６６４と中継軸６７２を介して一体回転し得るようになっている。
【００７８】
一方、前記一対の入口側スポンジローラ７２は、それぞれが同心で軸支されているローラ軸７２１の右端部に同心で一体回転可能に外嵌され、かつ、互いに噛合したスポンジローラ用ギヤ７２２を有している。また、前記一対の出口側スポンジローラ７３は、それぞれが同心で軸支されているローラ軸７３１の右端部に同心で一体回転可能に外嵌され、かつ、互いに噛合したスポンジローラ用ギヤ７３２を有している。そして、各一対のスポンジローラ用ギヤ７２２，７３２の上方のものが、図３に示すように、それぞれ第３伝達ギヤ６６５に噛合されている。
【００７９】
従って、第３伝達ギヤ６６５が中継軸６７２回りに図３における時計方向に向けて回転すると、この回転は、各スポンジローラ用ギヤ７２２，７３２の上のものに伝達され、これら上の各スポンジローラ用ギヤ７２２，７３２に噛合している下の各スポンジローラ用ギヤ７２２，７３２が逆回転するため、結局、一対の入口側スポンジローラ７２は、印画紙シートＲ２をオーバーヘッドラック７０内に引き入れるように互いに逆回転するとともに、一対の出口側スポンジローラ７３は、印画紙シートＲ２をオーバーヘッドラック７０から排出するように互いに逆回転することになる。
【００８０】
前記第２ベベルギヤ６６６および第３ベベルギヤ６６７は、前記大径搬送ローラ６４および小径搬送ローラ６５を従動回転させるべく設けられるものである。そして、第２ベベルギヤ６６６は、側板部材６３のギヤ室６３１内において入力軸６７１の直下位置で駆動ギヤ６６１と噛合している。かかる第２ベベルギヤ６６６は、ギヤ室６３１から水平仕切壁６０２を貫通して下方にむけて延設されたベベルギヤ軸６７３の頂部に同心で軸心回りに一体回転可能に軸支されている。
【００８１】
これに対し前記第３ベベルギヤ６６７は、処理ラック６０の挿入部６１に設けられた大径搬送ローラ６４の段数に応じて各大径搬送ローラ６４の右端部に対応した位置に複数設けられている。かかる各第３ベベルギヤ６６７は、ギヤ面を下に向けた状態で前記ベベルギヤ軸６７３に同心で一体回転可能に軸支されている。
【００８２】
前記第４ベベルギヤ６６８は、第３ベベルギヤ６６７の回転を大径搬送ローラ６４に伝達するためのものであり、ギヤ面を右方に向けて第３ベベルギヤ６６７に噛合した状態で大径ローラ軸６４１の右端部に同心で一体回転可能に軸支されている。
【００８３】
そして、大径搬送ローラ６４の回転を小径搬送ローラ６５に伝達するために、前記大径ローラ軸６４１には挿入部６１における右側の側板部材６３の左壁部直左方位置において大径搬送ローラ６４に同心で一体回転可能に外嵌された大径ギヤ６４２が設けられている一方、大径搬送ローラ６４に対向した各一対の小径搬送ローラ６５の小径ローラ軸６５０には、それぞれ大径ギヤ６４２と噛合する小径ギヤ６５２が同心で一体回転可能に設けられている。前記大径ギヤ６４２は、有効径寸法（摩擦円の径寸法）が大径搬送ローラ６４の外形寸法と同一に設定されているとともに、小径ギヤ６５２の有効径寸法は、小径搬送ローラ６５の外形寸法と同一に設定され、これによって大径搬送ローラ６４および小径搬送ローラ６５の各周速度が同一になるようにしている。
【００８４】
このように構成された駆動力伝達機構６６によれば、所定の駆動源からの駆動力が駆動ギヤ６６１に伝達されると、この駆動ギヤ６６１の駆動回転は入力軸６７１を介して第１ベベルギヤ６６２および第１伝達ギヤ６６３に伝達される。そして、第１伝達ギヤ６６３が回転すると、この回転は第２伝達ギヤ６６４および中継軸６７２を介して第３伝達ギヤ６６５に伝達されて当該第３伝達ギヤ６６５が中継軸６７２回りに回転する。
【００８５】
この第３伝達ギヤ６６５の回転は、一対の入口側スポンジローラ７２（図２）の上方のスポンジローラ用ギヤ７２２およびこれに噛合している下方のスポンジローラ用ギヤ７２２に伝達されるとともに、一対の出口側スポンジローラ７３の上方のスポンジローラ用ギヤ７３２およびこれに噛合している下方のスポンジローラ用ギヤ７３２にも伝達され、これによって一対の入口側スポンジローラ７２は互いに反対方向に向けてローラ軸７２１回りに回転するとともに、一対の出口側スポンジローラ７３も互いに反対方向に向けてローラ軸７３１回りに回転することになる。
【００８６】
一方、第１ベベルギヤ６６２に噛合している第１ベベルギヤ６６２の回転は、ベベルギヤ軸６７３を介して各第３ベベルギヤ６６７に伝達され、これによって各第３ベベルギヤ６６７はベベルギヤ軸６７３回りに一体回転する。この各第３ベベルギヤ６６７の一体回転は、当該第３ベベルギヤ６６７に噛合している第４ベベルギヤ６６８を介して各大径搬送ローラ６４の大径ギヤ６４２に伝達され、これによって各大径搬送ローラ６４は大径ローラ軸６４１回りに回転する。この回転によって大径搬送ローラ６４が大径ギヤ６４２と一体回転することになる。
【００８７】
前記各大径ギヤ６４２の回転は、これに噛合している各一対の小径ギヤ６５２に伝達され、これによる小径ギヤ６５２の回転によって小径搬送ローラ６５が大径搬送ローラ６４と反対方向に向けて同一周速度で回転する。
【００８８】
従って、駆動力伝達機構６６の各ギヤが上記のようにそれぞれ回転することにより、入口側スポンジローラ７２、出口側スポンジローラ７３、大径搬送ローラ６４および小径搬送ローラ６５がそれぞれ所定の方向に駆動回転した状態で、露光処理部２０から受入開口７４（図４）を介して浸漬処理装置５０内に受け入れられた印画紙シートＲ２は、まず、一対の入口側スポンジローラ７２によって挟持されつつ下方に向かわされ、導入開口６０４を通って処理槽５１内に導入される。
【００８９】
そして、処理槽５１内に導入された印画紙シートＲ２は、まず同一の周速度で互いに反対方向に回転している最上位の大径搬送ローラ６４と、上流側（図４における前方）の最上位の小径搬送ローラ６５（図４に示す例では大径搬送ローラ６４が反時計方向に向けて回転しているとともに、小径搬送ローラ６５が時計方向に回転している）との間に挟持された状態で下方に向けて搬送され、最下位の大径搬送ローラ６４に到達したのち上方に向けて折り返され、今度は、大径搬送ローラ６４と下流側（図４における後方）の小径搬送ローラ６５とによって挟持されつつ上昇する。かかる昇降の間に印画紙シートＲ２は、処理槽５１に装填されている処理液によって所定の処理が施される。
【００９０】
そして、最上位の大径搬送ローラ６４と小径搬送ローラ６５との間を通過した印画紙シートＲ２は、一対の出口側スポンジローラ７３に挟持されつつこれらの駆動回転に誘導され、払出開口７５を通って次工程へ向けて送り出される。
【００９１】
以下、第１および第２実施形態に係る水供給手段８０，８０ａについて図６および図７を基に順次説明する。まず、図６は、第１実施形態に係る水供給手段８０を示す図であり、（イ）は、一部切り欠き斜視図、（ロ）は、（イ）のＢ−Ｂ線断面図である。なお、図６におけるＸおよびＹによる方向表示は、図２の場合と同様（（Ｘは左右方向（−Ｘ：左方、＋Ｘ：右方）、Ｙは前後方向（−Ｙ：前方、＋Ｙ：後方））である。
【００９２】
図６に示すように、第１実施形態の水供給手段８０は、出口側スポンジローラ７３の前記ローラ軸７３１として機能する中空ローラ軸８１（上部スポンジローラ７３ａに対応した上部中空ローラ軸８１ａおよび下部スポンジローラ７３ｂに対応した下部中空ローラ軸８１ｂ）と、これらの中空ローラ軸８１に処理液を洗い流して置換するための水を供給する水吐出ポンプ（給水手段）８２と、この水吐出ポンプ８２が汲み上げる水を貯留した水貯槽８３とを備えて構成されている。
【００９３】
前記中空ローラ軸８１には、出口側スポンジローラ７３によって覆われた部分に全周および全長に亘ってそれぞれ所定ピッチで穿設された、水を噴出させるための多数の噴出孔８１１が設けられている。従って、水吐出ポンプ８２の駆動で水が上部中空ローラ軸８１ａおよび下部中空ローラ軸８１ｂに供給されると、この水は多くの噴出孔８１１を介して上部スポンジローラ７３ａおよび下部スポンジローラ７３ｂ内に供給され、これら出口側スポンジローラ７３が吸収している処理液を同伴して外部に排出されることになる。
【００９４】
このように、第１実施形態の水供給手段８０によれば、水吐出ポンプ８２を駆動することにより、水貯槽８３内の水が当該水吐出ポンプ８２によって汲み上げられ、中空ローラ軸８１の噴出孔８１１から出口側スポンジローラ７３内に向けて噴出されるため、出口側スポンジローラ７３が吸収している処理液は、噴出水に同伴して外部に排出され、これによって出口側スポンジローラ７３内の処理液を水に置換することができるため、印画紙シートＲ２が処理されていない合間を狙って水吐出ポンプ８２を駆動することで出口側スポンジローラ７３から処理液を容易に除去することができる。
【００９５】
また、第１実施形態の水供給手段８０は、中空ローラ軸８１および水吐出ポンプ８２のみで構成され構造が極めて簡単であるため、装置コストの低減化を図った上で出口側スポンジローラ７３の処理液除去能力を確保することができる。
【００９６】
因みに、スポンジローラ用ギヤ７３２には、写真処理装置１０の適所に設けられた駆動モータＭの駆動力が、駆動ギヤ６６１、第１伝達ギヤ６６３、第２伝達ギヤ６６４および第３伝達ギヤ６６５を介して伝達されるようになされているが、このことについては、第２実施形態の水供給手段８０ａにおいても同様である。
【００９７】
また、本実施形態においては、水供給手段８０が定着部３２の浸漬処理装置５０（図１）の定着部３２の処理槽５１における出口側スポンジローラ７３を対象として設けられている。水供給手段８０がこの位置に設けられることにより、定着部３２（図１）の処理槽５１で定着液により定着処理が施された後の印画紙シートＲ２は、出口側スポンジローラ７３を介して隣の洗浄部３３の処理槽５１へ搬送されるが、この搬送途中で出口側スポンジローラ７３と当接することにより、付着している定着液が出口側スポンジローラ７３に吸収されている水中へ拡散して取り除かれるとともに、水によって希釈された状態で洗浄部３３の処理槽５１へ向かうため、洗浄部３３の処理槽５１内の洗浄水の汚染を有効に防止することができ、これによって洗浄水が著しく汚染されることで洗浄操作を多くの段に亘って行わなければならないという従来の不都合が解消され、結果として現像処理の迅速化に貢献することができる。
【００９８】
図７は、第２実施形態に係る水供給手段８０ａを示す図であり、（イ）は、斜視図、（ロ）は、（イ）のＣ−Ｃ線断面図である。なお、図７におけるＸおよびＹによる方向表示は、図２の場合と同様（（Ｘは左右方向（−Ｘ：左方、＋Ｘ：右方）、Ｙは前後方向（−Ｙ：前方、＋Ｙ：後方））である。
【００９９】
第２実施形態においては、出口側スポンジローラ７３に水を供給するものとして、第１実施形態の中空ローラ軸８１に代えて上下一対の散水配管（散水管）８４（上部スポンジローラ７３ａを対象とした上部散水配管８４ａおよび下部スポンジローラ７３ｂを対象とした下部散水配管８４ｂ）が採用されている点が第１実施形態と相違している。その他の構成は第１実施形態のものと同様である。すなわち、第２実施形態の水供給手段８０ａは、一対の出口側スポンジローラ７３に水を散水する一対の散水配管８４と、これらの散水配管８４に水を供給する水吐出ポンプ８２と、この水吐出ポンプ８２が汲み上げる水を貯留する水貯槽８３とを備えて構成されている。
【０１００】
前記上部散水配管８４ａは、上部スポンジローラ７３ａの直上位置に当該上部スポンジローラ７３ａと平行に配設されている一方、前記下部散水配管８４ｂは、下部スポンジローラ７３ｂの直下位置に当該下部スポンジローラ７３ｂと平行に配設されている。そして、上部散水配管８４ａには、図７の（ロ）に示すように、その下面側に長手方向の略全長に亘って等ピッチで穿設された複数のノズル孔８４１が設けられている一方、下部散水配管８４ｂには、図７の（ロ）に示すように、その上面側に長手方向の略全長に亘って等ピッチで穿設された複数のノズル孔８４１が設けられている。
【０１０１】
係る第２実施形態の作用効果については、第１実施形態のものと同様であるが、これに加えて単に散水配管８４を出口側スポンジローラ７３に沿わせて配設するという簡単な構造であるため、装置コストの低減化に貢献することができる。
【０１０２】
以下、図８を基に必要に応じて図６およびその他の図を参照しながら制御手段９０による第１実施形態の水供給手段８０を対象とした駆動制御について説明する。図８は、制御手段９０による水供給手段８０の駆動制御を説明するためのブロック図である。このブロック図に示すように、制御手段９０は、中央演算処理装置であるＣＰＵ（ｃｅｎｔｒａｌ  ｐｒｏｃｅｓｓｉｎｇ  ｕｎｉｔ）９１と、このＣＰＵ９１に付設された読み取り専用のＲＯＭ（ｒｅａｄ  ｏｎｌｙ  ｍｅｍｏｒｙ）９２と、ＣＰＵ９１に付設された読み書き自在のＲＡＭ（ｒａｎｄｏｍ  ａｃｃｅｓｓ  ｍｅｍｏｒｙ）９３とを備えた基本構成を有している。
【０１０３】
前記ＲＯＭ９２には、当該制御のプログラムや不変データ等が記憶されているのに対し、前記ＲＡＭ９３には、演算途中で一時的に発生する各種のデータが読み書き自在に記憶されるようになっている。
【０１０４】
前記ＣＰＵ９１は、ＲＯＭ９２に格納されているプログラムやデータを逐次読み取り、実行することにより、以下の各手段９１１〜９１３として機能する。すなわち、ＣＰＵ９１は、前記出口側スポンジローラ７３が、飽和量未満の所定量を超える処理液を吸収するタイミングを判別するタイミング判別部９１１と、このタイミング判別部９１１が上記タイミングの到来を判別すると、印画紙シートＲ２の浸漬処理装置５０への搬入を一時的に中断させるべく前記駆動モータＭに向けてその駆動を中断させる中断信号を出力する中断信号出力部９１２と、この中断信号出力部９１２が中断信号を出力した後に水吐出ポンプ８２に向けて水貯槽８３内の洗浄水を汲み上げさせるべき制御信号を出力する制御信号出力部９１３として機能する。
【０１０５】
前記タイミング判別部９１１は、写真処理装置１０が処理した印画紙シートＲ２の処理枚数によって出口側スポンジローラ７３が、所定量を超えて処理液を吸収しているか否かを判別するようになされている。かかる判別を行うために、ＲＯＭ９２には、出口側スポンジローラ７３が吸収する処理液の許容量としての所定量と、１枚の印画紙シートＲ２に付着する付着処理液量とが印画紙シートＲ２のサイズ毎に記憶されている。
【０１０６】
一方、露光処理部２０からは、現に処理が実行されつつある印画紙シートＲ２のサイズがタイミング判別部９１１へ入力されるようになされている。また、露光処理部２０の下流端には、印画紙シートＲ２を検出する毎に検出信号をタイミング判別部９１１へ入力する枚数センサ２６７が設けられている。
【０１０７】
そして、タイミング判別部９１１は、制御部２５からのサイズ情報および枚数センサ２６７からの印画紙シートＲ２の検出信号、並びにＲＯＭ９２が記憶している出口側スポンジローラ７３について設定された上記所定量および１枚の印画紙シートＲ２に付着する付着処理液量に基づき出口側スポンジローラ７３に対して処理液除去処理を施すべきタイミングを判別するようになっている。
【０１０８】
そして、タイミング判別部９１１は、出口側スポンジローラ７３に処理液除去処理を施すべきタイミングが到来したことを判別すると、中断信号出力部９１２へ向けて写真処理装置１０の稼働を停止させるべき旨の信号を出力させるための指令信号を出力するとともに、引き続き制御信号出力部９１３へ向けて水供給手段８０を機能させるべき旨の信号を出力させるための指令信号を出力するようになっている。
【０１０９】
従って、中断信号出力部９１２は、タイミング判別部９１１からの指令信号を受けると、現に処理されつつある印画紙ロールＲの処理が完了するまで待った後に駆動モータＭに向けてその駆動を中断させる中断信号を出力するため、現像処理部３０に印画紙シートＲ２が存在しない状態で駆動モータＭが停止することになる。
【０１１０】
また、制御信号出力部９１３は、中断信号出力部９１２が中断信号を出力した後に水吐出ポンプ８２に向けて当該水吐出ポンプ８２を駆動させるべき制御信号を出力するようになされている。従って、一対の出口側スポンジローラ７３間に印画紙シートＲ２が存在しない状態で水吐出ポンプ８２が駆動し、これによって水吐出ポンプ８２は、水貯槽８３から水を汲み上げて中空ローラ軸８１へ送り込むため、この水が各中空ローラ軸８１の噴出孔８１１から噴出され、これによって出口側スポンジローラ７３の吸収していた処理液が水に同伴して外部に導出される。
【０１１１】
因みに、本実施形態においては、水吐出ポンプ８２は、予め設定された時間だけ駆動されるようになされている。そのために、制御手段９０は図略のタイマーを有し、このタイマーのタイムアップに基づき制御信号出力部９１３から水吐出ポンプ８２に向けて駆動停止の制御信号が出力されるようになされている。
【０１１２】
以上詳述したように、本発明に係る写真処理装置１０は、複数の処理槽５１を備え、各処理槽５１に貯留された処理液の中に印画紙シートＲ２を順次通過させることにより、印画紙シートＲ２に各処理液による処理を順次施すように構成されたものであり、複数の処理槽５１のうちの少なくとも一つの処理槽５１から別の処理槽５１へ、印画紙シートＲ２を挟持して案内する一対の出口側スポンジローラ７３が設けられている。
【０１１３】
従って、複数の処理槽５１に貯留された処理液の中に印画紙シートＲ２が順次浸漬することにより、印画紙シートＲ２に各処理液による処理が順次施される。そして、少なくとも一つの処理槽５１から次の処理槽５１へ、印画紙シートＲ２を挟持して案内する出口側スポンジローラ７３が設けられているため、印画紙シートＲ２は、一対の出口側スポンジローラ７３によって挟持されながら当該出口側スポンジローラ７３の駆動で搬送されるに際し、表裏面に付着している処理液が出口側スポンジローラ７３に吸収除去され、これによって表裏面が清浄化処理された状態で次工程、すなわち次の処理槽５１による処理へ向けて搬送されることになる。
【０１１４】
そして、スポンジが水を吸収し易いことを利用して、出口側スポンジローラ７３に水を供給する水供給手段８０，８０ａが設けられているため、この水供給手段８０，８０ａによる出口側スポンジローラ７３への水供給を所定のタイミング毎（具体的には、出口側スポンジローラ７３が吸収した処理液で飽和する以前のタイミング毎）に繰り返すことにより、出口側スポンジローラ７３は、吸収していた処理液が供給された水によって洗い流され（すなわち、出口側スポンジローラ７３中の処理液が水に置換され）、元の清浄な状態に戻るため、印画紙シートＲ２に付着している処理液が再度出口側スポンジローラ７３に吸収される（具体的には、処理液が出口側スポンジローラ７３中の水の中に拡散していく）ようになり、印画紙シートＲ２に付着している処理液を十分に吸収し得る状態を維持することができる。
【０１１５】
また、処理槽５１内の処理液は、自然蒸発により常に減少するため、定期的に水を補給することが行われるが、出口側スポンジローラ７３に水を供給するに際し、蒸発量に対応する水が余るように供給すれば、余った水が処理槽５１内に回収されるため、定期的な水の補給が不要になり、その分メンテナンス作業の軽減化に貢献することができる。
【０１１６】
そして、第１実施形態の水供給手段８０は、周面に水を噴出する複数の噴出孔８１１を有する、出口側スポンジローラ７３の軸心位置に設けられた中空ローラ軸８１と、この中空ローラ軸８１に所定の水槽からの水を汲み上げて供給する水吐出ポンプ８２と、この水吐出ポンプ８２が汲み上げる水を貯留する水貯槽８３とを備えて構成されているため、水吐出ポンプ８２の駆動により水貯槽８３から汲み上げられた水が中空ローラ軸８１の複数の噴出孔８１１を介して出口側スポンジローラ７３に供給され、これによって出口側スポンジローラ７３内の処理液で汚れた水が新鮮な水と置換されるため、出口側スポンジローラ７３を処理液がない清浄な状態に復元することができる。
【０１１７】
このように、中空ローラ軸８１からの水の供給によって出口側スポンジローラ７３に万遍なく水が供給されるため、出口側スポンジローラ７３における処理液から水への均一な水置換が短時間で行われ、これによって現像処理の仕上がりを待つ顧客に対する迅速な対応に貢献することができる。
【０１１８】
これに対し第２実施形態の水供給手段８０ａにおいては、水供給手段８０ａは、出口側スポンジローラ７３の周面に散水する散水配管８４と、この散水配管８４に散水配管８４からの水を汲み上げて供給する水吐出ポンプ８２とを備えて構成されているため、水吐出ポンプ８２の駆動により所定の水槽から汲み上げられた水が散水配管８４から出口側スポンジローラ７３に供給され、これによって処理液で汚れた水が新鮮な水と置換されるため、出口側スポンジローラ７３は処理液がない清浄な状態に復元される。
【０１１９】
このように、出口側スポンジローラ７３が吸収していた処理液を水と置換させることに対し、単純に散水配管８４を出口側スポンジローラ７３に沿って配設することで対応することができるため、水供給手段８０ａの構造が簡単になり、これによって水供給手段８０ａのコスト低減化に貢献することができる。
【０１２０】
そして、特に上記の実施形態においては、水供給手段８０，８０ａは、現像処理が施された印画紙シートＲ２に所定の定着用の処理液で定着処理を施す処理槽５１と、この処理槽５１に隣設されて定着処理済みの印画紙シートＲ２に洗浄水による洗浄処理を施す処理槽５１との間に設けられている。従って、定着部３２の処理槽５１で所定の処理液により定着処理が施された後の印画紙シートＲ２は、出口側スポンジローラ７３を介して隣の洗浄部３３の処理槽５１へ搬送されるが、この搬送途中で出口側スポンジローラ７３と当接することにより、付着している処理液が出口側スポンジローラ７３に吸収されている水中へ拡散して取り除かれるとともに、水によって希釈された状態で洗浄部３３の処理槽５１へ向かうため、当該処理槽５１内の洗浄水の汚染を有効に防止することができ、これによって洗浄水が著しく汚染されることで洗浄操作を多くの段に亘って行わなければならないという従来の不都合が解消され、結果として現像処理の迅速化に貢献することができる。
【０１２１】
また、水供給手段８０による出口側スポンジローラ７３への水の供給を制御する制御手段９０が設けられ、この制御手段９０は、出口側スポンジローラ７３が処理液で飽和するタイミングを判別するタイミング判別部９１１と、タイミング判別部９１１の判別結果に基づき印画紙シートＲ２の処理槽５１への搬入を一時的に中断させるべく駆動モータＭに向けて中断信号を出力する中断信号出力部９１２と、中断信号出力部９１２が中断信号を出力した後に水供給手段８０に向けて出口側スポンジローラ７３に水を供給させるべく制御信号を出力する制御信号出力部９１３として機能するようになされている。
【０１２２】
従って、タイミング判別部９１１が出口側スポンジローラ７３の処理液飽和のタイミングを判別すると、中断信号出力部９１２がこのタイミング判別部９１１の判別結果に基づき駆動モータＭに向けて中断信号を出力するため、印画紙シートＲ２の処理槽５１への搬入が一時的に中断させた状態になる。この状態で制御信号出力部９１３が水供給手段８０に向けて出口側スポンジローラ７３に水を供給するべき制御信号を出力するため、この制御信号が入力された水吐出ポンプ８２の駆動で水が出口側スポンジローラ７３に供給され、これによって出口側スポンジローラ７３は、吸収していた処理液が新鮮な水と置換される。
【０１２３】
そして、このような制御手段９０の制御によって、出口側スポンジローラ７３は、特にオペレータがメンテナンス作業を行わなくても、常に処理液を吸収し得る状態になるため、現像処理の全体的な処理効率を大幅に向上させることができる。
【０１２４】
本発明は上記の実施形態に限定されるものではなく、以下の内容をも包含するものである。
【０１２５】
（１）上記の実施形態においては、現像処理を施すべき感光材料として印画紙（印画紙ロールＲ、長尺印画紙Ｒ１および印画紙シートＲ２）を例に挙げて説明したが、本発明は、感光材料が印画紙であることに限定されるものではなく、銀塩写真システムにおける写真撮影に供されたフィルムであってもよい。
【０１２６】
（２）上記の実施形態においては、出口側スポンジローラ７３における上部および下部ローラ７３ａ，７３ｂの双方に対して水供給手段８０，８０ａにより水が供給されるようになされているが、本発明は、上部および下部ローラ７３ａ，７３ｂの双方に対して水を供給することに限定されるものではなく、上部および下部ローラ７３ａ，７３ｂのうちの一方のみ、好ましくは印画紙シートＲ２の印画面に対応する方のみに対して水を供給するようにしてもよい。
【０１２７】
（３）上記の実施形態においては、水供給手段８０，８０ａを出口側スポンジローラ７３側にのみ設けているが、本発明は、水供給手段８０，８０ａを出口側スポンジローラ７３側にのみ設けることに限定されるものではなく、入口側スポンジローラ７２側にも設けてもよい。こうすることで、浸漬処理装置５０が例えば定着部３２や洗浄部３３のものである場合、上流側の浸漬処理装置５０から導出された印画紙シートＲ２に残留している処理液を入口側スポンジローラ７２によって常に取り除くことが可能になり、これによって当該浸漬処理装置５０内に上流側の処理液が持ち込まれることをより確実に防止することができる。
【０１２８】
（４）上記の実施形態においては、制御手段９０を第１実施形態の水供給手段８０を対象として採用しているが、本発明は、制御手段９０を第１実施形態の水供給手段８０を対象として採用することに限定されるものではなく、第２実施形態の水供給手段８０ａを対象として制御手段９０を採用してもよい。
【０１２９】
（５）上記の実施形態においては、水供給手段８０を駆動させるタイミングを写真処理装置１０が処理した印画紙シートＲ２の枚数に基づいてタイミング判別部９１１が判別するようにしているが、それに代えて、単純に写真処理装置１０の稼働時間の合計で水供給手段８０ａを駆動させるタイミングを判別するようにしてもよい。
【０１３０】
（６）上記の実施形態においては、一対の出口側スポンジローラ７３（上部スポンジローラ７３ａおよび下部スポンジローラ７３ｂ）が採用されているが、こうする代わりに印画紙シートＲ２における現像面が当接されない上部スポンジローラ７３ａを硬質ゴム等で形成してもよい。
【０１３１】
（７）上記の実施形態では、定着部３２の処理槽５１と、これに隣設された洗浄部３３の処理槽５１との間に水供給手段８０，８０ａが設けられているが、全ての処理部（現像部３１、定着部３２および洗浄部３３）の各処理槽５１を対象として水供給手段８０，８０ａを設けてもよい。こうすることで、洗浄部３３の処理槽５１への前工程の処理液の持ち込みを抑制し、処理時間を効果的に短縮することができ、結果として１枚目の感光材料を処理して出力するまでの待ち時間を効果的に短縮することができる。
【０１３２】
（８）上記の実施形態では、出口側スポンジローラ７３に水を供給する水吐出ポンプ８２と、この水吐出ポンプ８２が汲み上げる水を貯留した水貯槽８３とが設けられた。これに対して、水道水を断続自在に供給可能な給水弁に、これら水吐出ポンプ８２と水貯槽８３とを置き換えても良い。当該給水弁は、制御手段９０によって制御可能に構成するのが望ましい。
【０１３３】
（９）上記の実施形態、変形形態（８）では、水吐出ポンプ８２或いは給水弁により出口側スポンジローラ７３に水を断続的に供給した。これに対して、印画紙シートＲ２に処理を施しつつある最中においても、出口側スポンジローラ７３に休みなく水を供給しても良い。この場合には、出口側スポンジローラ７３が水で十分に濡れた状態、あるいは溢れる程に水を含んだ状態で、印画紙シートＲ２への処理を行うことができ、印画紙シートＲ２は、清浄な水を含んだ出口側スポンジローラ７３によって表面が洗い流される。一方、水を断続的に供給する形態では、水の供給量を、処理液の蒸発分を補う程度に低く抑えることが容易である。また。水を断続的に供給する場合であっても、供給の仕方によって出口側スポンジローラ７３が水で十分に濡れた状態、あるいは溢れるほどに水を含んだ状態で印画紙シートＲ２への処理を行うことができる。
【図面の簡単な説明】
【０１３４】
【図１】本発明に係る写真処理装置の一実施形態の全体構成を示す説明図である。
【図２】浸漬処理装置の一実施形態を示す斜視図であり、オーバーヘッドラックの外された処理ラックが処理槽から引き出された状態を示している。
【図３】浸漬処理装置の一実施形態を示す斜視図であり、オーバーヘッドラックの装着された処理ラックが処理槽に装着された状態を示している。
【図４】図３のＡ−Ａ線断面図である。
【図５】駆動力伝達機構の一実施形態を示す浸漬処理装置の上部の正面視の断面図である。
【図６】第１実施形態に係る水供給手段を示す図であり、（イ）は、一部切り欠き斜視図、（ロ）は、（イ）のＢ−Ｂ線断面図である。
【図７】第２実施形態に係る水供給手段を示す図であり、（イ）は、斜視図、（ロ）は、（イ）のＣ−Ｃ線断面図である。
【図８】制御手段による水供給手段８０の駆動制御を説明するためのブロック図である。
【符号の説明】
【０１３５】
１０  写真処理装置          ２０  露光処理部
２０１  ハウジング          ２１  ディスクドライブ
２２  スキャナ              ２３  ディスプレイ
２４  テストプリント搬入ユニット
２５  制御部                ２６  マガジン
２６１  マガジン            ２６２  マガジン
２６３  センサ              ２６５  搬送ローラ対
２６６  搬送ローラ対        ２６７  枚数センサ
２７  カッター              ２８  露光装置
３０  現像処理部            ３１  現像部
３２  定着部                ３３  洗浄部
４０  乾燥処理部            ４１  搬送ローラ対
４２  通電発熱体            ４３  コンベヤ
５０  浸漬処理装置          ５１  処理槽
５１１  着脱開口            ６０  処理ラック
６０１  フランジ            ６０２  水平仕切壁
６０３  衝立壁              ６０４  導入開口
６０５  導出開口            ６１  挿入部
６２  露出部                ６３  側板部材
６３１  ギヤ室              ６４  大径搬送ローラ
６４１  大径ローラ軸        ６４２  大径ギヤ
６５  小径搬送ローラ        ６５０  小径ローラ軸
６５１  無端ベルト          ６５２  小径ギヤ
６６  駆動力伝達機構        ６６１  駆動ギヤ
６６２  ベベルギヤ          ６６３  伝達ギヤ
６６４  伝達ギヤ            ６６５  伝達ギヤ
６６６  ベベルギヤ          ６６７  ベベルギヤ
６６８  ベベルギヤ          ６７１  入力軸
６７２  中継軸              ６７３  ベベルギヤ軸
７０  オーバーヘッドラック  ７１  筐体
７１１  底板                ７１２  前面板
７１３  後方板              ７１４  側板
７１５  字壁                ７２  入口側スポンジローラ
７２１  ローラ軸            ７２２  スポンジローラ用ギヤ
７３  出口側スポンジローラ  ７３１  ローラ軸
７３２  スポンジローラ用ギヤ
７３ａ  下部ローラ          ７３ａ  上部スポンジローラ
７３ｂ  下部スポンジローラ  ７４  受入開口
７５  払出開口              ８０  水供給手段
８０ａ  水供給手段          ８０ｂ  処理液除去手段
８１  中空ローラ軸          ８１ａ  上部中空ローラ軸
８１ｂ  下部中空ローラ軸    ８１１  噴出孔
８２  水吐出ポンプ（給水手段）
８３  水貯槽                ８４  散水配管（散水管）
８４ａ  上部散水配管        ８４ｂ  下部散水配管
８４１  ノズル孔            ９０  制御手段
９１  ＣＰＵ                ９１１  タイミング判別部
９１２  中断信号出力部      ９１３  制御信号出力部
９２  ＲＯＭ                ９３  ＲＡＭ
Ｍ  駆動モータ              Ｒ  印画紙ロール
Ｒ１  長尺印画紙            Ｒ２  印画紙シート
【図１】
2007041071.tif 000003
【図２】
2007041071.tif 000004
【図３】
2007041071.tif 000005
【図４】
2007041071.tif 000006
【図５】
2007041071.tif 000007
【図６】
2007041071.tif 000008
【図７】
2007041071.tif 000009
【図８】
2007041071.tif 000010